(57)【要約】【課題】特別な工具なしに容易に分解及び再組立され得るホーンを有する時計ケースを提案すること。【解決手段】止まり穴を備えたミドル２と、ブレスレットのストランドを締めるための、貫通孔を備えた第１の可動のホーン３と、該ホーン３を広げられたラグ間隔ｄを有する位置へ押し戻そうとする力をホーン３へ及ぼす第１の弾性要素と、貫通孔を横切り、ミドル２における止まり穴に係合するとともに、当該押しボタンがホーン３の変位をブロックするロックされた位置とホーン３の押し戻し位置への変位が可能な解放された位置との間で摺動可能であるように配置された押しボタンと、ロックされた位置へ押しボタンを押し戻すために押しボタンへ力を及ぼす第２の弾性要素とを含むように時計ケースを構成する。【選択図】図１
2019045489.tif 000002
【特許請求の範囲】
【請求項１】
止まり穴（２０）を備えたミドル（２）と、
ブレスレットのストランドを締めるための、貫通孔（３３）を備えた第１の可動のホーン（３）と、
該ホーン（３）を広げられたラグ間隔（ｄ）を有する位置へ押し戻そうとする力を前記ホーン（３）へ及ぼす第１の弾性要素（３１）と、
前記貫通孔（３３）を横切り、前記ミドルにおける前記止まり穴（２０）に係合するとともに、当該押しボタン（５）が前記ホーン（３）の変位をブロックするロックされた位置と前記ホーン（３）の押し戻し位置への変位が可能な解放された位置との間で摺動可能であるように配置された押しボタン（５）と、
前記ロックされた位置へ前記押しボタンを押し戻すために前記押しボタン（５）へ力を及ぼす第２の弾性要素（５２）と
を含む時計ケース（１）。
【請求項２】
前記押しボタン（５）が、第１の直径を有するヘッド（５１）と、前記第１の直径より小さな第２の直径を有するロッド（５０）とを含んでおり、前記貫通孔（３３）に係合する前記押しボタンヘッド（５１）に対応する前記ロックされた位置と、前記貫通孔（３３）と係合する前記押しボタンロッド（５０）に対応する前記解放された位置とを有することを特徴とする請求項１に記載の時計ケース。
【請求項３】
前記第２の弾性要素（５２）が、前記押しボタン（５）を前記止まり穴の外側へ向けて押し戻すために、前記ミドルにおける前記止まり穴（２０）の底部で係合していることを特徴とする請求項２に記載の時計ケース。
【請求項４】
前記押しボタンヘッド（５１）が、前記止まり穴の開口部へ向けて戻される前記押しボタンロッド（５０）によって、前記ミドルにおける前記止まり穴（２０）の底部へ向けて戻されることを特徴とする請求項３に記載の時計ケース。
【請求項５】
前記押しボタン（５）が、前記ミドル（２）の内側の下方で終わっていることを特徴とする請求項１に記載の時計ケース。
【請求項６】
前記ミドル（２）の周囲にホーンの２つの対を形成するために２つずつ留められた４つの前記ホーン（３）を含み、第１の対の第１のホーンと第２の対の第１のホーンの間で第１のブレスレットストランドを保持し、前記第１の対の第２のホーンと前記第２の対の第２のホーンの間で第２のブレスレットストランドを保持するために配置されていることを特徴とする請求項１に記載の時計ケース。
【発明の詳細な説明】
【技術分野】
【０００１】
本発明は、可動のホーンを有する時計ケースに関するものである。
【背景技術】
【０００２】
腕時計用の時計ケースは、ブレスレットの２つのストランドを留めるために、たいていはホーンの２つの対を備えたミドル（ｍｉｄｄｌｅ）を含んでいる。
【０００３】
一般的に、ミドルは、ホーンを統合する間に打抜き加工によって製造される単一部分で構成されている。ホーンの存在は、ケースの製造及び研磨を困難とするものである。
【０００４】
ブレスレットの各ストランドは、ブレスレットの端部における孔を通過し、対の２つのホーンの内側における小さな孔へ入るスプリングバーによって時計ケースに結合されている。バーの長さは、これらの孔へはめ込むために低減されることができ、そして、ブレスレットを保持することを可能とする元の位置にあれば、その初期長さをとる。これらロッドは、壊れやすく、挿入のために精密である。
【０００５】
ストランドの挿入を容易にするために、特許文献１には、ホーンの下側の下方におけるスライドラッチを用いてブレスレットバーの端部をロックするための装置が提案されている。この装置は、壊れやすい。
【０００６】
特許文献２には、ロックされた位置においてホーンを覆う回転ベゼルによりブレスレットバーの端部をロックするための装置が記載されている。この装置は、この機能のためにベゼルを独占している。
【０００７】
特許文献３には、ミドルを包囲するストラップに取り付けられたホーンを含む時計ケースが記載されている。このブレスレットは、ラグ間隔を一時的に大きくするためにストラップを開放することで挿入されることが可能である。
【０００８】
さらに、ミドル及びホーンが別々に製造され、その後互いに組み立てられる時計ケースが知られている。これらケースは、容易に製造可能である。いくつかのモデルでは、ホーンは、ブレスレットを取り外すためにミドルから係合解除されることができる。
【０００９】
例えば、特許文献４には、ミドル及び取り外し可能なホーンを含む時計ケースが記載されている。ホーンは２つの対にグループ化されており、各対が、ブレスレットのストランドのうち１つを保持している。各対の２つのホーンは、６時と１２時の間でケースの直径を増大させる結合部によって、互いに結合されている。
【００１０】
特許文献５には、結合部分がミドルの内側の弾性要素を用いてミドルに対して保持される類似の解決手段が記載されている。
【００１１】
特許文献６及び特許文献７には、ホーンの結合部を収容するよう設定されたハウジングを備えたミドルが提案されている。
【００１２】
特許文献８には、ブレスレットが外部部材及びロック要素を用いてミドルに留められている腕時計用のミドルが記載されている。
【００１３】
特許文献９には、突出要素の変形を用いてミドルに結合された取り外し可能なホーンが記載されている。弾性変形に基づくこの解決手段は壊れやすい。
【００１４】
特許文献１０には、くいによって保持されるアセンブリを有する、ほぞ穴及びほぞタイプの結合によるホーン−ミドル結合部が記載されている。組立及び分解が複雑である。
【００１５】
類似の解決手段が欧州特許出願公開第１９０２６４１号明細書に記載されている。
【００１６】
特許文献１１には、交換可能なホーンを有する腕時計が開示されている。ケースは、２つのホーンセットと、スプリング作用を有する留め手段とを含んでいる。各セットは、ブレードの対となる留め手段を有する、互いに一体化された２つのホーンを含んでいる。ホーンセットは、ブレードに圧力を加えることで、ユーザによって結合解除されることが可能である。
【００１７】
特許文献１２には、ナットから製造された腕時計が記載されている。このナットは、時計ケースを形成しているとともに、ホーンを保持するように構成された止まり凹部を備えている。
【００１８】
特許文献１３には、ミドル及び取り外し可能なブレスレットを含む時計ケースが記載されている。このブレスレットは、ブレスレットと一体化された、ミドルに設けられた凹部に収容される結合要素の周辺部分間のボールジョイント結合部によってミドルに保持されている。
【００１９】
一般的に、ネジアセンブリによるホーンの組立は、ネジが脱落しやすいことによる信頼性の問題を生じさせる。これらを接着することが可能であるが、これは、例えばユーザがブレスレットの色を変えたい場合に、ブレスレットを取り替えるためにホーンを迅速に分解及び再組立する可能性を明らかに損なうものである。
【００２０】
記載された他の留め手段は、エンドユーザがまれにしか有していない分解若しくは再組立のための特別な工具又はかさばるホーンを有する厚い時計ケースにのみ適合するロック機構を必要とする。
【先行技術文献】
【特許文献】
【００２１】
【特許文献１】スイス国特許第６９７５９８号明細書
【特許文献２】スイス国特許第６９８７８７号明細書
【特許文献３】仏国特許第３００４８９８号明細書
【特許文献４】スイス国特許出願公開第７０６２６０号明細書
【特許文献５】欧州特許出願公開第２１８８６７６号明細書
【特許文献６】スイス国特許第３５５０９４号明細書
【特許文献７】スイス国特許第３２１１８８号明細書
【特許文献８】欧州特許出願公開第０４００２０６号明細書
【特許文献９】欧州特許出願公開第２４３１８２５明細書
【特許文献１０】スイス国特許出願公開第７０１２２１号明細書
【特許文献１１】仏国特許出願公開第３０２１１２８号明細書
【特許文献１２】欧州特許出願公開第０８８６１９６号明細書
【特許文献１３】国際公開第２００４／０２３２２１号
【発明の概要】
【発明が解決しようとする課題】
【００２２】
本発明の１つの目的は、上述のような制限のない時計ケースを提案することにある。
【００２３】
特に、本発明の１つの目的は、特別な工具なしに、例えばブレスレットの迅速な取り替えのために容易に分解及び再組立され得るホーンを有する時計ケースを提案することにある。
【課題を解決するための手段】
【００２４】
本発明によれば、これら目的は、とりわけ、止まり穴を備えたミドルと、
ブレスレットのストランドを締める（ｆａｓｔｅｎｉｎｇ）ための、貫通孔を備えた第１の可動のホーンと、
該ホーンを広げられたラグ間隔を有する位置へ押し戻そうとする力を前記ホーンへ及ぼす第１の弾性要素と、
前記貫通孔を横切り、前記止まり穴に係合するとともに、当該押しボタンが前記ホーンの変位をブロックするロックされた位置と前記ホーンの押し戻し位置への変位が可能な解放された位置との間で摺動可能であるように配置された押しボタンと、
前記ロックされた位置へ前記押しボタンを押し戻すために前記押しボタンへ力を及ぼす第２の弾性要素と
を含む時計ケースによって達成される。
【００２５】
この解決手段は、とりわけ、ラグ間隔、すなわち２つのホーンの間の間隔を広げるために、単に押しボタンを作動させることにより、ブレスレットストランドの挿入及び取り出しを容易にすることが可能であるという利点を有している。
【００２６】
押しボタンは、指で直接作動され得るか、又は好ましくはペン若しくは他の容易に使用可能な家庭用品の先端のような細い点によって作動され得る。細い点を用いることで、不意の開放又は悪意による開放のリスクが制限される。
【００２７】
例えばバーを用いて２つのホーンの間に保持されたブレスレットストランドは、バーの長さを修正する必要なく、容易に挿入され、又は取り外されることが可能である。
【００２８】
本発明の補助的な目的は、かさばるホーン又はミドルなしでもホーンを確実に留めることを可能とすることにある。
【００２９】
特に、１つの目的は、各対の２つのホーンの間の結合部又は結合部分を用いて６時及び１２時においてホーンを次いで結合することを回避することにある。このような部分は、６時と１２時の間のケースの直径を増大させ、小さな手首に適合しにくい。
【００３０】
この趣旨で、有利には、本発明による時計ケースのホーンは、ホーンの２つの対をより容易に止めることができるようにホーンの２つの対を形成するために、結合部分によって２つずつ結合されている。しかしながら、ブレスレットの第１のストランドは、第１の対の第１のホーンと第２の対の第１のホーンの間に保持されており、一方、第２のブレスレットストランドは、第１の対の第２のホーンと第２の対の第２のホーンの間に保持されている。
【００３１】
したがって、ホーンの２つの対は、ミドルを包囲する受け台（ｃｒａｄｌｅ）を形成している。対のうち１つの重心は３時にある一方、他の対の重心は９時にある。
【００３２】
本発明の実施例は、添付の図面によって示された説明において表される。
【図面の簡単な説明】
【００３３】
【図１】本発明の一実施例による時計ケースの平面図である。
【図２Ａ】ロックされた位置における時計ケースのＨ−Ｈ線に沿った断面図である。
【図２Ｂ】ロックされた位置における時計ケースの水平な断面図である。
【図３Ａ】解放された位置における時計ケースのＨ−Ｈ線に沿った断面図である。
【図３Ｂ】解放された位置における時計ケースの水平な断面図である。
【発明を実施するための形態】
【００３４】
本発明による時計ケース１の一例が図１において平面図で図示されている。時計ケース１は、ここでは円筒状のミドルであるミドル（ｍｉｄｄｌｅ）２と、受け台を形成する二対のホーン（ｈｏｒｎ）３とを含んでいる。好ましくは、図２Ａ及び図２Ｂに図示されているように可動の底部４が設けられている。
【００３５】
図中左側のホーンの第１の対は、ブレスレットの第１のストランドの第１の側を保持する第１のホーン（ほぼ１１時）と、ブレスレットの第２のストランドの第１の側を保持するための第２のホーン（ほぼ７時）とを含んでいる。第１の対の２つのホーンは、上方から見たときミドルの左側を包囲する結合部分によって互いに結合されている。したがって、ホーンのこの対の重心は、９時である。
【００３６】
図中右側のホーンの第２の対は、ブレスレットの第１のストランドの第２の側を保持する第１のホーン（ほぼ１時）と、ブレスレットの第２のストランドの第２の側を保持するための第２のホーン（ほぼ５時）とを含んでいる。第２の対の２つのホーンは、上方から見たときミドルの右側を包囲する結合部分によって互いに結合されている。したがって、ホーンのこの対の重心は、３時である。
【００３７】
第１のブレスレットストランド（不図示）は、第１の対の第１のホーンと第２の対の第１のホーンの間で保持されている。静止時の２つのホーンの間の隙間が符号ｄで示されている。第２のブレスレットストランド（不図示）は、第１の対の第２のホーンと第２の対の第２のホーンの間で保持されている。静止時の２つのホーンの間の隙間も好ましくはｄと同一である。
【００３８】
各ブレスレットストランドは、ブレスレットの先端を横断する非伸張性のバーによって保持され得るとともに、２つの対向するホーンの内面における２つの止まり穴内へ挿入され得る。バーは伸張性である必要はなく、挿入又は引き抜きは、見て取れるように、ラグ間隔ｄを一時的に広げることで行われる。バーは、円形断面バー又は好ましくはブレスレットストランドが向けられる方向を強制する形状のバーであり得る。
【００３９】
図２Ａには、図１のＨ−Ｈ線に沿った、ホーンのロックされた位置における時計ケースの断面図が示されている。図２Ｂには、図２ＡのＪ−Ｊ線に沿った断面における同一のケースが示されている。ホーンが解放された位置における対応する図が、図３Ａ及び図３Ｂに図示されている。
【００４０】
各ホーン又はホーンの各対は、第１の弾性要素３１、好ましくはひげぜんまいを収容するための止まり穴３２を含んでおり、第１の弾性要素は、本質的に径方向においてホーン３０をミドル２から離れるように押し戻そうとするものである。ホーンごとに、又はホーン３の対ごとに１つのバネ３１を設けることが可能である。ホーン３は、ブレスレットを保持するために径方向に延びる部分３４と、ミドル２の下方又はミドル２と底部４の間で延びる部分３５とを含んでいる。第１の弾性要素は、ミドルにおける止まり穴に収容されるか、又はホーンとミドルの間のブレードの形態で構成されることも可能である。第１の弾性要素としてエラストマを用いることも可能である。
【００４１】
図２Ａ及び図２Ｂに図示されたロックされた位置では、ホーンの運動は、ホーンの下方の貫通孔３３及びミドルの下方の止まり穴２０に係合する押しボタン５によって保持されている。図示の例では、この押しボタンも、底部４を横断している。第２の弾性要素５２、好ましくはひげぜんまいは、この止まり穴２０に収容されているとともに、図２Ａの底部へ向けてこの止まり穴から押しボタンを押し戻そうとするものである。
【００４２】
バネ３１の数にかかわらず、ホーン３０ごとに、又はホーン３の対ごとに１つの押しボタン５／バネ５２のアセンブリを設けることが可能である。
【００４３】
各押しボタン５は、押しボタンヘッド５１及び押しボタンロッド５０を含んでいる。押しボタンヘッド５１の直径は、押しボタンロッド５０の直径よりも大きいとともに、組立後に押しボタンが抜けるのを防止するものである。
【００４４】
弾性要素５２は、少なくとも部分的に止まり穴２０と係合する押しボタンヘッド５１に当接している。押しボタンロッド５０は、ミドル２の下方でホーンの部分３５を通って孔３３を横断している。
【００４５】
貫通孔３３は、だ円形状を有しており、したがってホーン３を押しボタン５、したがってミドル２に対して相対的に近似的な方向へ移動させることが可能である。図２Ａ及び図２Ｂでは、ホーン３は、ミドルの外側面に当接している。図３Ａ及び図３Ｂでは、ホーン３は、ミドル２の外側面とホーンの内側面の間に遊び３６を残しつつ弾性要素３１によって径方向に押し戻されている。この位置では、ラグ間隔が広げられており、これにより、ブレスレットストランドを締めるために２つのホーンの間にロッドを挿入することが可能である。
【００４６】
図２Ａ及び図２Ｂに図示されたロックされた位置では、ホーン３の運動は、弾性要素５２により貫通孔３３内へ押し戻されている押しボタンヘッド５２の部分によって妨げられている。図２Ａにおいて見られる小さな遊び３３０は、断面においては存在するものの、ホーンの移動面においては存在しない。
【００４７】
例えば工具又はペンの先端を用いて時計の底部から押しボタン５を弾性要素５２の動作に対して押すことにより、ヘッド５１が全体的にミドル２を通して止まり穴２０へ入り込み、図３Ａ及び図３Ｂに図示されているように、ホーンが解放される。そうすると、ミドル２とホーン３０の間の遊び３６を形成しつつホーンが外方へ移動する。移動の大きさは、貫通孔３３のエッジ部とロッド５０の間の接触によって制限されている。
【００４８】
ホーン３は、第２の弾性要素５２の動作の下で押しボタンヘッド５１が貫通孔３３内へ戻ることができるまでその外側を押圧することでロックされた位置へ戻されることが可能である。
【００４９】
押しボタンの存在及びホーンの対をミドルに据え付ける方法の存在にかかわらず、腕時計は、電子的な要素、例えばバッテリ、プロセッサ、慣性センサ、ＧＰＳセンサ及び／又はＲＦ回路などを備えたブレスレットを含んでいる。これら構成要素は、例えばゴム製又は合成材料製のオーバーモールドされたブレスレットに埋設されることが可能である。電気的な接続は、このブレスレットの構成要素と例えばバーを通してホーンに収容された導体との間で確立されている。バーは、互いに電気的に絶縁された２つの部分で構成されることが可能である。
【００５０】
ブレスレットがロックされた位置に取り付けられるときにバーに接続される導体ワイヤを収容するために、ホーン３０は、例えば合成材料又はセラミック材料である例えば絶縁材料で構成されることができる。ホーンは、導体材料、例えば金属で構成することもできるとともに、絶縁性の周辺の覆いを備えた１つ又はいくつかの導体を収容することができる。ワイヤは、機械加工され得るホーンにおける孔を通過することが可能である。一変形例では、孔が、アセンブリにより構成されているか、又は付加製造、例えばＭＩＭＥ又は３Ｄプリントにより構成された１つのホーンを備えている。これらホーンのうち１つは、絶縁された導体を必要とすることなく、導体、例えば接地導体として役立つ。
【００５１】
ブレスレットストランドとこのストランドを保持する２つのホーンの間の電気的な接続は、ブレスレットの電子的な構成要素が時計バッテリによって給電されることを許容するか、又は逆に時計がブレスレットストランドにおけるバッテリによって給電されることが可能である。
【００５２】
他の実施例では、ブレスレットストランドとこのストランドを保持する２つのホーン３０の間の電気的な接続は、電気的な電力信号が、ホーンの２つの対のそれぞれの接続部分を通過する２つのブレスレットストランド間で伝達されることを許容する。ホーンの対のうち１つは、２つのブレスレットストランド間で例えば電気信号の大きさを伝達することができ、ホーンの第２の対は、これら２つのストランド間で連続的な電力信号Ｖｄｄを伝達することが可能である。この配置により、２つのストランドがこれら２つのストランドのうち１つにおいてバッテリ又は電気エネルギー源によって給電される電子的な構成要素を有するブレスレットを形成することが可能である。
【符号の説明】
【００５３】
１            時計ケース
２            ミドル
２０          止まり穴
３            ホーンの対
３０          ホーン
３１          第１の弾性要素
３２          ホーンにおける止まり穴
３３          貫通孔
３３０        断面において存在する遊び
３４          径方向に延びるホーンの部分
３５          ミドルの下方のホーンの部分
３６          遊び
４            底部
５            押圧部材
５０          押圧部材ロッド
５１          押圧部材ヘッド
５２          第２の弾性要素
【図１】
2019045489.tif 000003
【図２Ａ】
2019045489.tif 000004
【図２Ｂ】
2019045489.tif 000005
【図３Ａ】
2019045489.tif 000006
【図３Ｂ】
2019045489.tif 000007